(57)【要約】【課題】電線を損傷させることなく、電線が傾斜していても同じ場所に安定的に工具袋を吊るし保持することができる工具袋ハンガーを提供する。【解決手段】本発明の工具袋ハンガー１は、上部に取っ手１５を備え電線５０上に載置する半割れパイプ状の載置部１２を有する基体１１と、基端部が前記基体１１に固定され、先端部２５に工具袋を吊るす吊りロープ２４と、前記吊りロープ２４が係止するリングが形成されるように前記基体１１に固定された係止ロープ２１と、前記基体１１、前記吊りロープ２４及び前記係止ロープ２１が電線５０に接触することを防止する保護シート１７と、を備え、前記係止ロープ２１が形成するリングに前記吊りロープ２４を通すことで、吊りロープ２４が係止ロープ２１に係止し、この係止点２８が、前記基体１１の中心部を通る鉛直線上に位置する。【選択図】図１
2014103760.tif 000002
【特許請求の範囲】
【請求項１】
電線に工具袋を吊るすための工具袋ハンガーであって、
電線上に載置する半割れパイプ状の載置部を有する基体と、
前記基体の上部に設けられた取っ手と、
基端部が前記基体に固定され、先端部に工具袋を吊るす吊りロープと、
前記吊りロープが係止するリングが形成されるように前記基体に両端部が固定された係止ロープと、
前記基体、前記吊りロープ及び前記係止ロープが電線に接触することを防止するように前記基体の内側に取付けられた弾力性を有する保護シートと、を備え、
前記係止ロープが形成するリングに前記吊りロープを通すことで、吊りロープが係止ロープに係止し、この係止点が、前記基体の中心部を通る鉛直線上に位置することを特徴とする工具袋ハンガー。
【請求項２】
前記保護シートは、柔軟性を有し、
前記基体を電線上に載置し、前記吊りロープの先端部に工具袋を吊るすと、電線と接触する前記保護シートが沈み、前記基体が電線上で安定的に保持されることを特徴とする請求項１に記載の工具袋ハンガー。
【請求項３】
前記基体は、さらに前記載置部の下端に設けられ前記吊りロープ及び係止ロープが電線に接触することを防止する板状の保護カバー部を備え、
前記保護シートは、前記保護カバー部も電線に接触しないように覆うことを特徴とする請求項１又は２に記載の工具袋ハンガー。
【請求項４】
前記保護カバー部は、電線に前記工具袋ハンガーを介して工具袋を吊るした状態で、前記係止ロープ及び前記吊りロープと電線の下端との間に空間部が形成されるように設けられていることを特徴とする請求項３に記載の工具袋ハンガー。
【請求項５】
さらに前記工具袋ハンガーと工具袋とを連結する連結ロープを備え、
前記工具袋ハンガーは、少なくとも使用時は、前記連結ロープにより工具袋に連結されていることを特徴とする請求項１から４のいずれか１に記載の工具袋ハンガー。
【請求項６】
前記電線に代え、ロープ又はパイプ状体であることを特徴とする請求項１から５のいずれか１に記載の工具袋ハンガー。
【発明の詳細な説明】
【技術分野】
【０００１】
本発明は、送電線の作業などで使用する工具袋を、送電線等に吊るすための工具袋ハンガーに関する。
【背景技術】
【０００２】
送電線の作業を行うには、工具、資材が必要であり、これら工具、資材は工具袋に収納され現場に持ち込まれる。送電線の作業現場で使用する工具袋を図７に示した。この工具袋４０は、帆布素材でバケツ形状に形成された袋体４１と持ち手４２とからなり、工具袋４０を鉄塔部材、送電線５０に掛けるための金属製の掛けフック４３が取付けられている。
【０００３】
送電線の作業において、送電線５０に乗り出して作業を行う場合には、工具袋４０を掛ける場所がないので送電線５０に直接、掛けフック４３を掛け、工具袋４０を吊るした状態で作業を行う。送電線５０は、アルミ線又は銅線からなる柔らかい素線をより合せ形成されている。一方で工具袋４０を吊るすための掛けフック４３は、先端部が鋭利であるため、送電線５０に掛けフック４３の先端を接触させ擦ると送電線５０の素線を損傷させ、最悪の場合には素線を断線させてしまう。
【０００４】
送電線５０は、鉄塔間に、下に凸の放物線状に張ってあるため、鉄塔間の中央部を除き傾斜している。図７に示す工具袋４０には、ブレーキ機構がないため直接、送電線５０に掛けフック４３を掛けると工具袋４０が鉄塔間の中央部に少しずつ滑り出す。このため作業員は、工具袋４０が送電線５０上で移動しないように、身体、手、小ロープ等で工具袋４０を把持しておく必要があり、作業員にとって大きな負担となっている。
【０００５】
図７に示す従来の掛けフック付き工具袋４０以外にも、電線工事用機器を電線に吊下げるための吊下げ具がある（例えば特許文献１）。特許文献１に記載の吊下げ具は、２本の逆Ｊ字状のフックを有する取付部材の下部に滑車を設け、この滑車にロープを通し、このロープの一端に電線工事用機器を引っかけ、ロープの他端を引っ張ることで電線工事用機器を引き上げる。
【先行技術文献】
【特許文献】
【０００６】
【特許文献１】特開平８−２３６１０号公報
【発明の概要】
【発明が解決しようとする課題】
【０００７】
上記の通り、従来の掛けフックを使用し工具袋を電線に吊るす方法は、種々の問題があるため従来の掛けフックに代え、特許文献１に記載の吊下げ具を利用して電線に工具袋を吊るすことが考えられる。しかしながら特許文献１に記載の吊下げ具は、フックのねじれ等により電線に損傷を与える可能性がある。またこの吊下げ具は、２本のフックで電線上に吊り下げられているだけであり、フックと電線との接触面積も小さく、さらにブレーキ手段も設けられていないので傾斜した電線上で同一場所に留めておくことは困難である。
【０００８】
本発明の目的は、電線を損傷させることなく、電線が傾斜していても同じ場所に安定的に工具袋を吊るし保持することができる工具袋ハンガーを提供することである。また、電線以外にもロープ、パイプ状体を損傷させることなく、ロープ、パイプ状体が傾斜していても同じ場所に安定的に工具袋を吊るし保持することができる工具袋ハンガーを提供することを目的とする。
【課題を解決するための手段】
【０００９】
本発明は、電線に工具袋を吊るすための工具袋ハンガーであって、電線上に載置する半割れパイプ状の載置部を有する基体と、前記基体の上部に設けられた取っ手と、基端部が前記基体に固定され、先端部に工具袋を吊るす吊りロープと、前記吊りロープが係止するリングが形成されるように前記基体に両端部が固定された係止ロープと、前記基体、前記吊りロープ及び前記係止ロープが電線に接触することを防止するように前記基体の内側に取付けられた弾力性を有する保護シートと、を備え、前記係止ロープが形成するリングに前記吊りロープを通すことで、吊りロープが係止ロープに係止し、この係止点が、前記基体の中心部を通る鉛直線上に位置することを特徴とする工具袋ハンガーである。
【００１０】
本発明の工具袋ハンガーの電線への取付けは、半割れパイプ状の載置部を有する基体を電線上に載置するだけであり、さらに基体等が電線に接触することを防止する保護シートが基体の内側に取付けられているので、取付け時及び使用中も電線を傷付けることはない。また基体の内側に取付けられた保護シートが弾力性を有するので電線と保護シートとが密接する。このため電線が傾斜していても同じ場所に安定的に止まることができる。さらに吊りロープが係止ロープに係止する係止点が、基体の中心部を通る鉛直線上に位置するので、工具袋を吊るしても基体が電線上で回転することもなく、工具袋ハンガーは、電線上に安定的に保持される。
【００１１】
本発明において、前記保護シートは、柔軟性を有し、前記基体を電線上に載置し、前記吊りロープの先端部に工具袋を吊るすと、電線と接触する前記保護シートが沈み、前記基体が電線上で安定的に保持されることを特徴とする。
【００１２】
本発明によれば、工具袋を吊るすと電線と接触する部分の保護シートが沈み込むので、電線と保護シートの接触面積を大きくすることができる。このため電線の直径と基体に貼付した保護シートの内径とが一致しない場合、例えば直径の小さい電線上に基体を載置した場合であっても、工具袋ハンガーを電線上に安定的に保持することができる。
【００１３】
また本発明において、前記基体は、さらに前記載置部の下端に設けられ前記吊りロープ及び係止ロープが電線に接触することを防止する板状の保護カバー部を備え、前記保護シートは、前記保護カバー部も電線に接触しないように覆うことを特徴とする。
【００１４】
工具袋を吊るした状態で係止ロープ及び吊りロープが電線に接触し、係止ロープ及び吊りロープが揺れることで電線を擦ると電線が損傷するが、本発明の工具袋ハンガーは、半割れパイプ状の載置部の下端に板状の保護カバー部が設けられているので係止ロープ及び吊りロープが電線に接触することを確実に防止することができる。なお、保護カバー部にも保護シートが設けられ、保護カバー部が電線に直接接触することを防止するので基体が電線を傷付けることもない。
【００１５】
また本発明において、前記保護カバー部は、電線に前記工具袋ハンガーを介して工具袋を吊るした状態で、前記係止ロープ及び前記吊りロープと電線の下端との間に空間部が形成されるように設けられていることを特徴とする。
【００１６】
本発明によれば、工具袋を吊るした状態で、係止ロープ及び吊りロープと電線の下端との間に空間部を有するので、工具袋を吊るした状態で工具袋ハンガーを持ち上げ電線上を移動させることが可能であり、使い勝手が非常によい。
【００１７】
また本発明の工具袋ハンガーは、さらに前記工具袋ハンガーと工具袋とを連結する連結ロープを備え、前記工具袋ハンガーは、少なくとも使用時は、前記連結ロープにより工具袋に連結されていることを特徴とする。
【００１８】
本発明によれば、使用時は、連結ロープにより工具袋ハンガーと工具袋とが連結されているので、工具袋ハンガーを電線上に取付けるとき、又は電線上から工具袋ハンガーを取外すとき工具袋ハンガーを落しても、地上まで落下することはなく安全であり、かつ使い勝手もよい。
【００１９】
また本発明において、前記電線に代え、ロープ又はパイプ状体であることを特徴とする。
【００２０】
本発明の工具袋ハンガーは、電線のみならずロープ又はパイプ状体に対してもこれらを損傷させることなく、またロープ又はパイプ状体が傾斜していても同じ場所に安定的に工具袋を吊るし保持することができる。
【発明の効果】
【００２１】
本発明の工具袋ハンガーを使用することで、電線、ロープ又はパイプ状体を損傷させることなく、電線、ロープ又はパイプ状体が傾斜していても同じ場所に安定的に工具袋を吊るし保持することができる。また本発明の工具袋ハンガーは使い勝手に優れる。
【図面の簡単な説明】
【００２２】
【図１】本発明の第１実施形態の工具袋ハンガー１の斜視図である。
【図２】図１に示す工具袋ハンガー１を図１の矢視Ａから見た図である。
【図３】図１に示す工具袋ハンガー１の正面図である。
【図４】図１に示す工具袋ハンガー１の背面図である。
【図５】図１に示す工具袋ハンガー１の使用状態を示す図である。
【図６】図１に示す工具袋ハンガー１の保護シートに厚さの厚い保護シート１７を使用した場合の図１の矢視Ａから見た図である。
【図７】従来の工具袋４０の送電線５０への取付け状態を示す図である。
【発明を実施するための形態】
【００２３】
図１は、本発明の第１実施形態の工具袋ハンガー１の斜視図、図２は、工具袋ハンガー１を図１の矢視Ａから見た図、図３は、工具袋ハンガー１の正面図、図４は、工具袋ハンガー１の背面図である。また図５は、工具袋ハンガー１の使用状態を示す図である。
【００２４】
工具袋ハンガー１は、送電線５０（以下、電線と記す）に工具袋４０を吊るすためのハンガーであり、電線５０上に載置する上部に取っ手１５が設けられた基体１１と、リングが形成されるように基体１１に両端部が固定された係止ロープ２１と、工具袋４０を吊るすための吊りロープ２４と、基体１１、係止ロープ２１及び吊りロープ２４が電線５０に接触することを防止するための保護シート１７とを備える。
【００２５】
基体１１は、電線５０に係止し、工具袋４０を吊るす吊りロープ２４を支持する金属製の部材であり、半割れパイプ状の載置部１２と、載置部１２の両側下端部に設けられた保護カバー部１３（１３ａ、１３ｂ）とを有する。基体１１は、強度、加工の点から金属材で形成するのが一般的であるが、工具袋４０を吊るすことができる強度があればプラスチック材など他の材料で形成してもよい。
【００２６】
載置部１２は、断面が半円状であり、電線５０に載置する部分である。載置部１２全体を電線５０上に載置するには、載置部１２の内径が、内側に保護シート１７が貼付された状態（２Ｒ１）で、電線５０の直径（２Ｒ２）よりも大きければよいが、ぐらつき等を抑制しより安定して電線５０上に載置させる点から、載置部１２の内径は、内側に保護シート１７が貼付された状態（２Ｒ１）で、電線５０の直径（２Ｒ２）と同一か又は若干大きい程度が好ましい。
【００２７】
保護カバー部１３は、取付けられた係止ロープ２１及び吊りロープ２４が電線５０に接触することを防止するための部位であり、載置部１２と同じ幅で載置部１２の両側下端部に左右平行に設けられている。保護カバー部１３の長さ（高さ）は、特定の長さに限定されるものではないが、取付けられた係止ロープ２１及び吊りロープ２４が電線５０に接触することを確実に防止するためには、保護カバー部１３の下端１４が、基体１１を電線５０上に載置した状態で電線５０の下端５１と同一の高さか又は若干下方に位置することが好ましい。
【００２８】
基体１１の内側全体には、基体１１及び係止ロープ２１及び吊りロープ２４が電線５０に接触することを防止する保護シート１７が貼付されているので、保護カバー部１３の長さが短く、保護カバー部１３の下端１４が、基体１１を電線５０上に載置した状態で電線５０の下端５１に比べ高くても、さらには保護カバー部１３を全く設けなくても基体１１及び係止ロープ２１及び吊りロープ２４が電線５０に接触することはない。
【００２９】
電線５０への接触を防止する保護シート１７を設ける場合、電線５０への接触の点からは保護カバー部１３は必要ないが、保護カバー部１３は、工具袋４０を吊るした状態で、係止ロープ２１及び吊りロープ２４と電線の下端５１との間に空間部２９を設ける点からは必要である。保護カバー部１３を設けることで図２及び図５に示すように、工具袋４０を吊るした状態で、係止ロープ２１及び吊りロープ２４と電線の下端５１との間に空間部２９を形成させると、工具袋４０を吊るした状態で工具袋ハンガー１を持ち上げ電線５０上を移動させることが可能となり非常に使い勝手がよくなる。
【００３０】
基体１１の好ましい大きさを例示すれば、長手方向の長さが１００〜１５０ｍｍ、保護シート１７を取付けた状態で内径（２Ｒ１）が、３０ｍｍ、高さも３０ｍｍ程度である。このように基体１１の大きさは、小型であるので軽く、取り扱い、運搬も容易である。基体１１の長さ、高さを大きくすれば電線５０上に載置したときより安定するが、必要以上に大きくすると取り扱い、運搬が難しくなる。
【００３１】
基体１１は、１枚の金属製の板を所定の形状に湾曲させて製作する他、半割れパイプの下端に金属製の板を溶接して固定することで簡単に製作することができる。
【００３２】
保護シート１７は、基体１１及び係止ロープ２１及び吊りロープ２４が電線５０に接触することを防止する弾力性及び可撓性を有する部材であり、例えばゴム板、スポンジ状のシート材からなる。保護シート１７は、基体１１の内面全体を覆い、下端１８は、基体１１の保護カバー部１３の下端１４よりも下方に位置する。このため図３及び図４に示すように正面図及び背面図において、保護シート１７の下部１９は、基体１１から突出しており、このように保護シート１７を設けることで基体１１から突出している保護シート１７が、係止ロープ２１及び吊りロープ２４が電線５０に接触することを確実に防止する。
【００３３】
また保護シート１７には、弾力性を有するシート材を使用するので、基体１１を電線５０上に載置した状態、さらには工具袋４０を吊るした状態で、保護シート１７は、電線５０と十分な接触面積を有する。このため鉄塔間に張られた送電線５０のように電線５０が傾斜しても、基体１１、工具袋ハンガー１が、滑り移動することはない。
【００３４】
保護シート１７の厚さは、特定の厚さに限定されるものではない。しかし、直径が異なる数種類の電線５０に対して同じ工具袋ハンガー１を使用するような場合には、保護シート１７は、厚さが厚くかつ柔軟性を有するものが好ましい。
【００３５】
電線５０上に載置した基体１１を安定して保持させるには、内側に保護シート１７が貼付された状態で載置部１２の内径（２Ｒ１）が、電線５０の直径（２Ｒ２）と同一か又は若干大きい程度が好ましい。しかし直径が異なる数種類の電線５０に対して同じ工具袋ハンガー１を使用するような場合には、載置部１２の大きさは、保護シート１７を貼付した状態で一番大きい電線５０の直径に合せなければならず、直径の小さい電線５０上に基体１１を載置すると、載置部１２の保護シート１７と電線５０との接触面積が小さくなる。
【００３６】
直径の小さい電線５０上に基体１１を載置した場合であっても、できるだけ載置部１２の保護シート１７と電線５０との接触面積が大きくなるように、厚さがありかつ柔軟性を有する保護シート１７を使用する。図６は、厚さがありかつ柔軟性を有する保護シート１７を使用した工具袋ハンガー１である。
【００３７】
このような厚さがありかつ柔軟性を有する保護シート１７が貼付された工具袋ハンガー１を、直径の小さい電線５０上に載置し、工具袋４０を吊るすと、図６に示すように保護シート１７のうち電線５０に接触している部分が沈み込み、保護シート１７と電線５０との接触面積が大きくなり、電線５０上に載置した基体１１を安定して保持させることができる。
【００３８】
使用する電線の種類が多く、基体１１の載置部１２の内径と電線５０の直径が大きく異なるときは、保護シート１７の厚さを厚くしても全ての電線５０において、基体１１を安定して保持させることは無理であろう。このような場合には、載置部１２の異なる大小２つの工具袋ハンガー１を用意しておけばよい。工具袋４０を安定して吊るすには、電線５０の大きさ毎に、それに対応した載置部１２を有する工具袋ハンガー１を使用することが好ましいことは改めて言うまでもない。
【００３９】
係止ロープ２１及び吊りロープ２４は、協働し、電線５０に工具袋４０を安定して吊るすことができるようにする。係止ロープ２１及び吊りロープ２４は、共に金属製のワイヤーロープからなるが、工具袋４０を確実に吊下げることができる強度を有すれば、材質は他のものであってもよい。
【００４０】
係止ロープ２１は、吊りロープ２４が係止し、係止した吊りロープ２４の先端部２５が、基体１１の載置部１２の中心を通る鉛直線上となるようにするための部材である。係止ロープ２１は、リング状となるように、両端部２２が、基体１１の長手方向の中心点から左右均等に保護カバー部１３ａの下部に固定されている。本実施形態では、係止ロープ２１の両端部２２に設けられた留め輪（図示省略）を基体１１の保護カバー部１３ａに取付けたボルト２７に挿通することで固定しているが、係止ロープ２１をしっかりと固定することができれば固定方法は他の方法であってもよい。
【００４１】
係止ロープ２１が形成するリングの大きさは、係止ロープ２１の中心部２３を吊りロープ２４の方向に水平に引張ったとき、係止ロープ２１の中心部２３が基体１１の載置部１２の中心を越えて吊りロープ２４側にあるように設けられている。
【００４２】
工具袋ハンガー１を使用するとき、係止ロープ２１が形成するリングに吊りロープ２４の先端部２５を通し、吊りロープ２４を係止ロープ２１に係止して使用する。このとき係止ロープ２１が形成するリングの大きさを上記のようにすることで吊りロープ２４の先端部２５を、基体１１の載置部１２の中心を通る鉛直線上とすることができる。
【００４３】
吊りロープ２４は、工具袋４０を吊下げるためのロープであり、一端（基端）が基体１１の長手方向の中心であって保護カバー部１３ｂの下部に固定されている。なお、吊りロープ２４は、係止ロープ２１が固定される保護カバー１３ａと対向する保護カバー部１３ｂに固定される。本実施形態では、係止ロープ２１と同様に、留め輪（図示省略）を基体１１の保護カバー部１３ｂに取付けたボルト２７に挿通することで固定しているが、吊りロープ２４をしっかりと固定させることができれば固定方法は他の方法であってもよい。一方、先端部２５には、工具袋４０の掛けフック４３が係止するためのハンガー環２６が取付けられている。
【００４４】
吊りロープ２４の長さは、先端部２５のハンガー環２６を係止ロープ２１の方向に水平に引張ったとき、先端部２５が基体１１の載置部１２の中心を越えて係止ロープ２１側にあるように設けられている。
【００４５】
さらに工具袋ハンガー１は、工具袋ハンガー１と工具袋４０とを連結する連結ロープ３１を備え、連結ロープ３１の一端は、基体１１の取っ手１５に取付けられ、他端は工具袋４０の持ち手４２に取付けられる。工具袋ハンガー１を使用して工具袋４０を吊下げるときは、必ずこの連結ロープ３１を介して工具袋ハンガー１と工具袋４０とが連結される。
【００４６】
工具袋ハンガー１を介して送電線５０に工具袋４０を吊るす要領を説明する。工具袋４０と工具袋ハンガー１とが連結ロープ３１で連結されていることを確認後、作業員が装着している安全帯のＤ環に工具袋４０の掛けフック４３を掛ける。
【００４７】
作業員は、送電線５０上に身を乗り出し、工具袋ハンガー１の基体１１を送電線５０上に載せる。係止ロープ２１が形成するリングに吊りロープ２４を通し、吊りロープ２４を係止ロープ２１に係止させた後、工具袋４０の掛けフック４３を安全帯のＤ環から外し、吊りロープ２４のハンガー環２６に掛ける。
【００４８】
吊りロープ２４を係止ロープ２１に係止させた状態で、吊りロープ２４が係止ロープ２１と係止する点（交差点２８）は、基体１１の載置部１２の中心点を通る鉛直線上に位置し、結果、吊りロープ２４の先端部２５に吊るした工具袋４０も基体１１の載置部１２の中心点を通る鉛直線上に位置する。このため基体１１が送電線５０上に安定して載置され、工具袋４０も安定的に吊るすことができる。
【００４９】
また吊りロープ２４を係止ロープ２１に係止させた状態で、工具袋ハンガー１は環となり送電線５０を囲むので、万一、基体１１が送電線５０から外れても工具袋ハンガー１及び工具袋４０が地上に落下することはない。また万一、基体１１が送電線５０から外れても基体１１、係止ロープ２１及び吊りロープ２４が送電線５０に直接接触しないように保護シート１７が取付けられているので、送電線５０を傷付けることはない。
【００５０】
工具袋ハンガー１を介して送電線５０に工具袋４０を吊るした状態で、送電線５０の下端５１と吊りロープ２４及び係止ロープ２１との間には、空間部２９が形成されているので、工具袋４０を吊るした状態で工具袋ハンガー１を持ち上げ移動させることができる。このとき工具袋ハンガー１を持ち上げ過ぎても保護シート１７があるので係止ロープ２１及び吊りロープ２４が直接、送電線５０に接触することがないので安心である。
【００５１】
さらに送電線５０が傾斜しても、保護シート１７の存在により工具袋ハンガー１が送電線５０上を滑り移動することはない。取外すときは、取付けとは逆の要領で行う。工具袋ハンガー１と工具袋４０とは連結ロープ３１により連結されており、工具袋ハンガー１を電線５０上に取付けるとき、又は電線５０上から工具袋ハンガー１を取外すときは、工具袋４０は、作業員が装着している安全帯のＤ環に掛けられているので、工具袋ハンガー１を落しても、地上まで落下することはなく安全であり、かつ使い勝手もよい。
【００５２】
以上のように本工具袋ハンガー１は、使用の際は、基体１１を送電線５０上に載せるだけでよいので、使い勝手が非常によい。また本工具袋ハンガー１は、基体１１の真下に工具袋４０を吊るすので、工具袋４０を吊るしても基体１１が電線５０上で回転しない。このような構成を採用することで、小型でありながら電線上に工具袋４０を安定的に保持することができる。
【００５３】
なお、本発明に係る工具袋ハンガー１は、上記実施形態に限定されるものではなく、要旨を変更しない範囲で変更して使用することができる。上記実施形態では、電線５０に工具袋ハンガー１を介して工具袋４０を吊るす例を示したが、本発明の工具袋ハンガー１は、電線５０以外、例えば工事で使用する仮設ロープ、落下防止用ネットに設けられた固定用ロープなどのロープ、工事で使用するパイプ、鉄塔などに取付けられているパイプ状体にも使用することができる。ロープ、パイプ状体などに工具袋ハンガー１を介して工具袋４０を吊るすときにも、電線５０の場合と同様に、ロープ、パイプ状体を損傷させることなく、また傾斜した場所であっても滑ることなくその位置に安定的に工具袋４０を吊るすことができる。
【００５４】
工具袋４０も上記実施形態に限定されるものではなく、また名称に拘泥されるものではなく、工具袋４０には工具を収容できる袋の他、容器、箱等も含まれる。また工具袋４０を掛ける掛けフック４３も本実施形態に示すものに限定されず、種々の掛けフックを使用することができる。
【符号の説明】
【００５５】
１  工具袋ハンガー
１１  基体
１２  載置部
１３、１３ａ、１３ｂ  保護カバー部
１５  取っ手
１７  保護シート
２１  係止ロープ
２４  吊りロープ
２５  吊りロープの先端部
２６  ハンガー環
２８  係止ロープと吊りロープの交差点
２９  空間部
３１  連結ロープ
４０  工具袋
５０  送電線（電線）
【図１】
2014103760.tif 000003
【図２】
2014103760.tif 000004
【図３】
2014103760.tif 000005
【図４】
2014103760.tif 000006
【図５】
2014103760.tif 000007
【図６】
2014103760.tif 000008
【図７】
2014103760.tif 000009